(57)【要約】【課題】補聴器調整メニューにおける、利用されない機能の改善（削除）や、頻繁に利用される機能の向上等に活かすことができる補聴器調整装置を提供する。【解決手段】補聴器１０１を調整する補聴器調整装置１０４は補聴器調整のメニューを操作することのできる入力手段２０１と、その入力した内容と一致するかどうかの元となる情報が蓄積されている情報蓄積手段２０２と、それらの情報を判別する判別手段２０３と、その判別した内容を制御する制御手段２０４と、前記各メニュー閲覧情報を記憶する記憶手段２０５とを備え、前記制御手段２０４の操作により、閲覧情報を記憶する前記記憶手段２０５より閲覧情報を抽出する抽出手段２０６から取得した情報を表示手段２０７によって表示する。【選択図】図２
2009105520.tif 000002
【特許請求の範囲】
【請求項１】
補聴器のパラメータを調整するものであり、前記補聴器調整装置はユーザの操作に関する情報を記憶する記憶手段を有し、前記補聴器調整装置は前記操作に関する情報を表示することを特徴とする補聴器調整装置。
【請求項２】
前記補聴器調整装置は補聴器調整のメニューを操作することのできる入力手段と、その入力した内容と一致するかどうかの元となる情報が蓄積されている情報蓄積手段と、それらの情報を判別する判別手段と、その判別した内容を制御する制御手段と、前記各メニュー閲覧回数を記憶する記憶手段とを備えた補聴器調整装置であって、前記制御手段の操作により、閲覧回数を記憶する前記記憶手段より閲覧回数の情報を抽出する抽出手段から取得する補聴器調整装置。
【請求項３】
前記記憶手段には補聴器調整装置のアプリケーション起動情報を記憶することを特徴とする請求項１記載の補聴器調整装置。
【請求項４】
前記記憶手段には補聴器調整装置のアプリケーション画面遷移情報を記憶することを特徴とする請求項１記載の補聴器調整装置。
【請求項５】
補聴器調整装置における閲覧情報表示は特定の操作を行うことにより表示手段によって表示することを特徴とする請求項１記載の補聴器調整装置。
【請求項６】
請求項１から請求項５いずれか１項記載の補聴器調整装置の手段の少なくとも一部をコンピューターに実行させるためのプログラム。
【発明の詳細な説明】
【技術分野】
【０００１】
本発明は、補聴器調整装置に関する。
【背景技術】
【０００２】
従来、補聴器の履歴抽出に関するものとしては、装着者が容易に過去のフィッティング状態と比較することができる履歴保持型補聴器のようなものが考案されている（例えば特許文献１参照）。
【特許文献１】特開平８−３１７４９５号公報
【発明の開示】
【発明が解決しようとする課題】
【０００３】
しかしながら、従来の履歴を保持する補聴器に関するものにおいては、マイクロホン、聴覚補償部、増幅部、イヤフォン、選択部を備える他、補聴特性を決定するパラメータ、及び、これに対応したフィッティングを記憶した現行パラメータ記録手段と、過去の聴覚特性を決定したパラメータ更新時のパラメータ履歴、及び、これに１対１で対応したフィッティング作業を示すフィッティング履歴を蓄積記録した履歴記録手段とを備え、選択部が現行パラメータ記録手段、及び、履歴記録手段の中から一つのパラメータを選択する選択手段として機能するものである。更に、補聴器本体への聴覚特性に関する補聴特性を決定するパラメータの履歴のみの記録保持であり、その他の機能の履歴については特に言及されておらず、また他の特許においても、フィッティングソフトウェアの履歴保持に関するものは考案されていない。
【０００４】
本発明は、従来の問題を解決するためになされたもので、補聴器調整装置におけるフィッティングソフトウェアの履歴保持に関するものであり、補聴器調整の各メニュー画面に遷移した回数をカウントし、アプリケーションの起動回数や、アプリケーション画面遷移回数を記憶手段によって記憶し、開発者などが特定のコマンドを入力することで、閲覧回数などの情報表示を表示手段によって表示する。これによって、補聴器調整メニューにおける、利用されない機能の改善（削除）や、頻繁に利用される機能の向上等に活かすことが可能であり、各画面や機能の使用状況を把握することのできる補聴器調整装置を提供することを目的とするものである。
【課題を解決するための手段】
【０００５】
本発明の請求項１にかかる補聴器調整装置は、補聴器のパラメータを調整するものであり、前記補聴器調整装置はユーザの操作に関する情報を記憶する記憶手段を有し、前記補聴器調整装置は前記操作に関する情報を表示する。
【０００６】
この構成により、アプリケーションの利用状況を把握できる統計ログをアプリケーションに実装し、本統計ログを有効に活用することで、補聴器調整メニューにおける、利用されない機能の改善（削除）や、頻繁に利用される機能の向上等に活かすことができる。
【０００７】
本発明の請求項２にかかる補聴器調整装置は、補聴器調整のメニューを操作することのできる入力手段と、その入力した内容と一致するかどうかの元となる情報が蓄積されている情報蓄積手段と、それらの情報を判別する判別手段と、その判別した内容を制御する制御手段と、前記各メニュー閲覧回数を記憶する記憶手段とを備えた補聴器調整装置であって、前記制御手段の操作により、閲覧回数を記憶する前記記憶手段より閲覧回数の情報を抽出する抽出手段を備える。
【０００８】
この構成により、アプリケーションの利用状況を定量的な数値で判断できる統計ログをアプリケーションに実装し、本統計カウントを有効に活用することで、補聴器調整メニューにおける、利用されない機能の改善（削除）や、頻繁に利用される機能の向上等に活かすことができる。
【０００９】
本発明の請求項３にかかる補聴器調整装置は、前記記憶手段には補聴器調整装置のアプリケーション起動回数を記憶する構成を有している。
【００１０】
この構成により、補聴器調整装置のアプリケーションが何回起動されたかが確認できることで、ひとつの利用の目安として利用することができる。
【００１１】
本発明の請求項４にかかる補聴器調整装置は、前記記憶手段には補聴器調整装置のアプリケーション画面遷移回数を記憶する構成を有している。
【００１２】
この構成により、補聴器調整メニューにおける、利用されない機能の改善（削除）や、頻繁に利用される機能の向上等に活かすことができるので、例えば、次版の対応のソフトウェアからは閲覧回数の少ないメニューでは、機能の一部を省いたり、また、閲覧回数の多いメニューでは、より機能を充実させてフレキシブルに対応することで、利用しやすいようにすることができる。
【００１３】
本発明の請求項５にかかる補聴器調整装置は、補聴器調整装置における閲覧回数表示は特定の操作を行うことにより表示手段によって表示する構成を有している。
【００１４】
この構成により、誰でも閲覧できるようにするのではなく、特定の者（例えば開発者など）のみが閲覧できるようにすることで、次版対応の検討材料にすることができる。
【００１５】
本発明の請求項６にかかるプログラムは、コンピューターを請求項１〜５のいずれか１項記載の補聴器調整装置の全てもしくは一部として機能させるものである。そして、プログラムであるので汎用コンピューターやサーバーを用いて本発明の補聴器調整装置の一部あるいは全てを容易に実現することができる。また記録媒体に記録したり通信回線を用いてプログラムを配信したりすることでプログラムの配布やインストール作業が簡単にできる。
【発明の効果】
【００１６】
本発明は、アプリケーションの利用状況を把握できる統計ログをアプリケーションに実装し、本統計カウントを有効に活用することで、補聴器調整メニューにおける、利用されない機能の改善（削除）や、頻繁に利用される機能の向上等に活かすことが可能である補聴器調整装置を提供することができる。
【発明を実施するための最良の形態】
【００１７】
本発明の実施の形態について図面を参照しながら詳細に説明する。尚、下記実施の形態によって本発明が限定されるものではない。
【００１８】
（第１の実施の形態）
以下、本発明の実施の形態の補聴器調整装置について図面を用いて説明する。
【００１９】
本発明の第１の実施の形態の補聴器調整における構成図を図１に示す。
【００２０】
図１において、１０１は補聴器、１０２は調整ユニット、１０３は通信ユニット、１０４は補聴器調整装置であり、これらが補聴器調整システムの構成図である。
【００２１】
補聴器１０１はパソコンなどで調整することが可能なデジタル補聴器である。１０２は調整ユニットであり、補聴器１０１の片耳、もしくは両耳と接続でき、通信機能を備え、通信ユニット１０３（例えばUSB Bluetoothなど）とデータの送受信を行うことが可能である。通信ユニット１０３と接続されている補聴器調整装置１０４はパソコンや、PDAなどの携帯端末の主に入力手段、記憶手段、表示手段を備えたものであり、補聴器を調整するアプリケーションを備え、前記補聴器調整装置を利用して、補聴器１０１の調整を行うことができる。
【００２２】
図２は本発明の一実施例を示す補聴器調整装置のハードウエア構成図である。以下、それぞれの機能の概要について説明する。
【００２３】
補聴器１０１を調整する補聴器調整装置１０４は入力手段２０１を備える。この入力手段は例えばパソコンで言うところのキーボードやマウスであり、文字の入力や、マウスのクリックなどのコマンドを入力できる。前記補聴器調整装置１０４は、前述したように補聴器を調整するアプリケーションがインストールされており、前記アプリケーションのメニューには補聴器を試聴するコンテンツを始め、聴力入力機能、補聴器の調整機能、顧客管理などのコンテンツがあり、前記入力手段２０１を操作して、各画面へ遷移できる構造となっている。
【００２４】
このアプリケーションには各画面遷移へ移動をした回数をカウントする機能を設けており、図４のログファイル４０１のような形式でアプリケーションのログファイルに遷移した画面の情報が記憶手段２０５へ逐一記録されていく。ここで、パラメータ変更後のデータを保持することは当然であるので、操作前と操作後の操作履歴情報も記憶することも可能とする。
【００２５】
また、このアプリケーションは前記記憶手段２０５のログ情報を抽出する機能があり、入力手段２０１を利用して特定のコマンドを入力することによって、情報蓄積手段２０２に記録されているコマンド情報aと一致しているか否かを判別手段２０３によって判別する。一致していた場合には制御手段２０４によって、抽出手段２０６へ抽出する旨を伝え、抽出手段２０６は記憶手段２０５に記憶された各画面への遷移回数や、起動回数の回数情報bを抽出する。
【００２６】
そして、最後にはパソコンのディスプレイなどの表示手段２０７（図2に明示）によって、図６のようなログ情報を表示する。
【００２７】
図３は補聴器調整装置の制御におけるフローチャートであり、図２における動作をフローチャート形式で示したものである。
【００２８】
まず、補聴器調整ソフトのアプリケーションを起動（図３のＳ０１）させる。その際、起動回数情報が記憶手段２０５に記憶（図３のＳ０３）される。また、起動後、アプリケーションのメニューにある補聴器を試聴するコンテンツを始め、聴力入力機能、補聴器の調整機能、顧客管理などのページ遷移（図３のＳ０２）した画面遷移回数情報も記憶手段２０５に記憶（図３のＳ０３）される。また、ログファイルは前述したように図４のログファイル４０１のような形式で記憶されていく。
【００２９】
これらのログ情報を知りたい場合に、あるコマンドを入力（図３のＳ０４）する。このコマンドはここでは例として、図５のようなログイン画面５０１（ログイン後の画面でも構わない）を挙げる。この画面の四隅の丸印箇所をマウスでクリックする。四隅のクリックする順番は特に指定しない。もし、コマンドが不正の場合（ここでは四隅にうまくクリックされなかった場合）には、特にログを表示する動作は起こさず、クリックする以前の状態のままである。また、もしコマンドが適正（ここでは四隅の丸印にクリック）であった場合には、記憶手段２０５から抽出手段２０６を用いて、起動回数や、ログ情報を抽出（図３のＳ０５）する。
【００３０】
その後、表示手段２０７によって、ログ情報を表示（図３のＳ０６）し、図６のようなログ情報であるログ表示画面６０１を示す。
【００３１】
このような本発明の第１の実施の形態の補聴器調整装置１０４によれば、起動回数や、各画面遷移の移動回数をカウントするログを記憶する記憶手段２０５を設けることで、開発者などが特定のコマンドを入力することで、各画面や機能の使用状況を把握できるので、補聴器調整メニューにおける、利用されない機能の改善（削除）や、頻繁に利用される機能の向上等に活かすことが可能である補聴器調整装置１０４を提供することができる。一例として、起動情報や、閲覧情報はここでは、起動回数、閲覧回数について述べたが、クリック回数や、閲覧時間や、プログレスバーなどの情報であってもよい。
【００３２】
尚、コンピューターを本実施例の補聴器調整装置の全てもしくは一部として機能させるものでもよい。そして、プログラムであるので汎用コンピューターやサーバーを用いて本発明の補聴器調整装置の一部あるいは全てを容易に実現することができる。また記録媒体に記録したり通信回線を用いてプログラムを配信したりすることでプログラムの配布やインストール作業が簡単にできる。
【産業上の利用可能性】
【００３３】
以上のように、本発明にかかる補聴器調整装置は、アプリケーションの利用状況を把握できる統計ログをアプリケーションに実装し、本統計カウントを有効に活用することで、補聴器調整メニューにおける、利用されない機能の改善（削除）や、頻繁に利用される機能の向上等に活かすことが可能である効果を有し、補聴器調整装置として有用である。
【図面の簡単な説明】
【００３４】
【図１】本発明の補聴器調整システムの構成図
【図２】本発明の補聴器調整装置のハードウエア構成図
【図３】本発明の実施の形態にかかる補聴器調整装置の動作フローチャート
【図４】本発明の実施の形態にかかる補聴器調整装置のログファイルを示す図
【図５】本発明の実施の形態にかかる補聴器調整装置のアプリケーションのログイン画面を示す図
【図６】本発明の実施の形態にかかる補聴器調整装置のログ画面表示例を示す図
【符号の説明】
【００３５】
１０１    補聴器
１０２    調整ユニット
１０３    通信ユニット
１０４    補聴器調整装置
２０１    入力手段
２０２    情報蓄積手段
２０３    判別手段
２０４    制御手段
２０５    記憶手段
２０６    抽出手段
２０７    表示手段
４０１    ログファイル
５０１    ログイン画面
６０１    ログ画面表示
【図１】
2009105520.tif 000003
【図２】
2009105520.tif 000004
【図３】
2009105520.tif 000005
【図４】
2009105520.tif 000006
【図５】
2009105520.tif 000007
【図６】
2009105520.tif 000008